(57)【要約】      （修正有）【課題】既設戸車と同一形状ではない新設戸車であっても取り付けることができる、汎用性が高い戸車ユニットを提供する。【解決手段】嵌合されていた既設戸車が取り外された框に嵌合されるアタッチメント１１と、アタッチメント１１を介して框６に保持される新設戸車と、を備えており、アタッチメント１１は、框６の長手方向における端部から框内に長手方向に沿って挿入され、框６に当接されて位置決めされる当接片を有しており、框６に取り付けられてアタッチメント１１により形成された一対の壁部の少なくとも一方を、押圧部１４ｃにより一対の壁部の間隔が広がるように押圧して一対の壁間にて突っ張ることにより、新設戸車をアタッチメント１１に取り付ける。【選択図】図３
2018048464.tif 000002
【特許請求の範囲】
【請求項１】
既設戸車が取り外された框に取り付けられるアタッチメントと、
前記アタッチメントを介して前記框に保持される新設戸車と、
を備えていることを特徴とする戸車ユニット。
【請求項２】
請求項１に記載の戸車ユニットであって、
前記アタッチメントは、前記框に取り付けられて、互いに間隔を空けて対面する一対の壁部を形成し、
前記新設戸車は、前記一対の壁部の間隔が広がる方向に当該一対の壁部の少なくとも一方を押圧する押圧部を有することを特徴とする戸車ユニット。
【請求項３】
請求項１または請求項２に記載の戸車ユニットであって、
前記アタッチメントは、前記框の長手方向における端部から当該框内に長手方向に沿って挿入され、前記框に当接されて位置決めされる当接片を有していることを特徴とする戸車ユニット。
【請求項４】
請求項１乃至請求項３のいずれかに記載の戸車ユニットであって、
前記新設戸車は、前記一対の壁部間に挿入されて前記アタッチメントに取り付けられ、
前記アタッチメントは、挿入された前記新設戸車が当接されて位置決めされる位置決め片を有していることを特徴とする戸車ユニット。
【請求項５】
請求項１乃至請求項４のいずれかに記載の戸車ユニットであって、
前記框は、当該框の上側から下側に水が流通可能な孔を有し、
前記アタッチメントは、前記框に装着されて前記孔と重なる位置に形成された水抜き孔を有していることを特徴とする戸車ユニット。
【請求項６】
請求項１乃至請求項５のいずれかに記載の戸車ユニットであって、
前記アタッチメントは、２つの部材が前記框に合わせてサイズ調節可能に組み合わされて形成されていることを特徴とする戸車ユニット。
【発明の詳細な説明】
【技術分野】
【０００１】
本発明は、框に取り付けられる戸車ユニットに関する。
【背景技術】
【０００２】
框に取り付けられる戸車として、例えば、ねじの回動により左右に拡開されて、サッシュ等の取付孔内壁を圧接する左右二枚一組の拡開部材が、車輪（ローラー）が装備された戸車ケースに設けられた戸車が知られている（例えば、特許文献１参照）。この戸車は、拡開部材が左右に拡開させた際に爪部が取付孔の内壁に喰い込むように圧接し、戸車ケースを取付孔に固定するように構成されている。
【先行技術文献】
【特許文献】
【０００３】
【特許文献１】実公昭６２−１９８０７号公報
【発明の概要】
【発明が解決しようとする課題】
【０００４】
上記のような戸車は、両拡開部材を左右に拡開させ、爪部を取付孔の内壁に喰い込むように圧接させて、戸車ケースを取付孔の任意の位置に固定しているので、戸車の左右となる両側に、爪部が喰い込む内壁が設けられている必要がある。しかしながら、戸車が取り付けられる框などの部位は、必ずしも同一形状ではないため、同一の戸車を各種の框に取り付けることは難しい。このため、戸車には高い汎用性が求められている。
本発明は、かかる課題に鑑みてなされたものであり、その目的とするところは、汎用性が高い戸車ユニットを提供することにある。
【課題を解決するための手段】
【０００５】
かかる目的を達成するために本発明の戸車ユニットは、既設戸車が取り外された框に取り付けられるアタッチメントと、前記アタッチメントを介して前記框に保持される新設戸車と、を備えていることを特徴とする戸車ユニットである。
【０００６】
このような戸車ユニットによれば、既設戸車が取り付けられていた框から既設戸車を取り外して、アタッチメントを取り付けるので、アタッチメントは既設戸車と同様に取り付けられる。また、既設戸車同様に取り付けられたアタッチメントを介して新設戸車が取り付けられるので新設戸車も既設戸車と同様に取り付けることが可能である。このため、既設戸車が取り付けられている、様々な形状の框に新設戸車を取り付けることが可能であり、汎用性が高い戸車ユニットを提供することが可能である。
【０００７】
かかる戸車ユニットであって、前記アタッチメントは、前記框に取り付けられて、互いに間隔を空けて対面する一対の壁部を形成し、前記新設戸車は、前記一対の壁部の間隔が広がる方向に当該一対の壁部の少なくとも一方を押圧する押圧部を有することが望ましい。
【０００８】
このような戸車ユニットによれば、框に取り付けられてアタッチメントにより形成された一対の壁部の少なくとも一方を、押圧部により一対の壁部の間隔が広がるように押圧して一対の壁間にて突っ張ることにより、新設戸車をアタッチメントに取り付けることが可能である。
【０００９】
かかる戸車ユニットであって、前記アタッチメントは、前記框の長手方向における端部から当該框内に長手方向に沿って挿入され、前記框に当接されて位置決めされる当接片を有していることが望ましい。
このような戸車ユニットによれば、アタッチメントを框内に挿入して当接片に当接させることによりアタッチメントを位置決めして取り付けることが可能である。
【００１０】
かかる戸車ユニットであって、前記新設戸車は、前記一対の壁部間に挿入されて前記アタッチメントに取り付けられ、前記アタッチメントは、挿入された前記新設戸車が当接されて位置決めされる位置決め片を有していることが望ましい。
このような戸車ユニットによれば、新設戸車をアタッチメント内に挿入して位置決め片に当接させることにより新設戸車を位置決めして取り付けることが可能である。
【００１１】
かかる戸車ユニットであって、前記框は、当該框の上側から下側に水が流通可能な孔を有し、前記アタッチメントは、前記框に装着されて前記孔と重なる位置に形成された水抜き孔を有していることが望ましい。
【００１２】
このような戸車ユニットによれば、新設戸車が取り付けられていても、新設戸車が取り付けられている框の上側から下側に、水抜き孔を介して水を排出することが可能である。
【００１３】
かかる戸車ユニットであって、前記アタッチメントは、２つの部材が前記框に合わせてサイズ調節可能に組み合わされて形成されていることが望ましい。
このような戸車ユニットによれば、２つの部材を調節してアタッチメントを框のサイズに合わせることができるので、より汎用性が高い戸車ユニットを提供することが可能である。
【発明の効果】
【００１４】
本発明によれば、汎用性が高い戸車ユニットを提供することが可能である。
【図面の簡単な説明】
【００１５】
【図１】本実施形態に係る戸車ユニットを備えた建具の内観姿図である。
【図２】既設戸車が取り付けられている下框を示す図である。
【図３】戸車ユニットの構成を示す図である。
【図４】新設戸車を示す斜視図である。
【図５】下框に取り付けられた戸車ユニットを示す図である。
【図６】形状が異なる下框に既設戸車が取り付けられている状態を示す図である。
【図７】アタッチメントの変形例を示す図である。
【発明を実施するための形態】
【００１６】
以下、本発明の一実施形態に係る戸車ユニット７及びこの戸車ユニット７を備えた障子３を有する建具１について図面を参照して説明する。
本実施形態の建具１は、図１に示すように建物等に設けられる枠体２に装着される引き違い障子３を備えた建具１である。
【００１７】
以下の説明においては、建物等に取り付けられた状態の建具１を室内側から見たときに、上下となる方向を上下方向、左右となり障子３の下框６の長手方向を左右方向または長手方向、室内外方向である奥行き方向を見込み方向として示す。建具１の各部位であっても、また、建具１を構成する各部材については単体の状態であっても、建物等に取り付けられた状態にて上下方向、左右方向または長手方向、見込み方向となる方向にて方向を特定して説明する。
【００１８】
枠体２に装着された２枚の障子３は、いずれもガラス４を囲むように矩形状の框体５が設けられており、左右方向における両下端部側にそれぞれ戸車ユニット７が設けられている。
【００１９】
框体５を形成しガラス４の下に位置する下框６は押出成形部材である。下框６は、図２〜図４に示すように、見込み方向に間隔を空けて対向する一対の框壁部６ａと、一対の框壁部６ａを見込み方向に繋ぐと共に、上下方向に間隔を空けて設けられた上板部６ｂ及び下板部６ｃとを有している。上板部６ｂ及び下板部６ｃとの上下方向の間隔は、例えば建具１の標準品として取り付けられる既設戸車９が備えるケース９ａの高さとほぼ一致している。
【００２０】
一対の框壁部６ａ、上板部６ｂ及び下板部６ｃに囲まれた部位は下框６の長手方向に貫通する中空部６ｄをなしている。一対の框壁部６ａは、上板部６ｂより上方に延出されており、上板部６ｂと共に上方に開放された凹部をなしており、障子３を構成するガラス４等の面材の下端が収容される面材収容部６ｅをなしている。面材収容部６ｅを形成する上板部６ｂには、面材収容部６ｅ内の水を排出するための排水孔６ｆが形成されている。また、一対の框壁部６ａは下板部６ｃより下方にも延出されている。
【００２１】
上板部６ｂには下方に突出する２つの上突片６ｇが設けられており、下板部６ｃには上方に突出する２つの下突片６ｈが設けられている。２つの上突片６ｇと２つの下突片６ｈとは、いずれも一対の框壁部６ａのいずれからも離れた位置にて、上下方向において互いに対向する位置に突出されている。また、２つの上突片６ｇと２つの下突片６ｈとは、それぞれ見込み方向に間隔を空けて配置されており、その間隔は、既設戸車９が備えるケース９ａの幅とほぼ一致している。このため、既設戸車９は、２つの上突片６ｇと２つの下突片６ｈとの内側にケース９ａが挿入され嵌合されて取り付けられている。このとき、ケース９ａの下側に突出しているローラー８は、既設戸車９が下框６に嵌合されたときには、下框６の長手方向における両端部の下板部６ｃに設けられた切り欠き部６ｉから下板部６ｃより下方に突出する。
【００２２】
戸車ユニット７は、図３、図４に示すように、下框６に既に取り付けられていた、例えば建具１の既設戸車９を取り外し、既設戸車９を取り外した位置に取り付けられる、交換用の新設戸車１０と、新設戸車１０を下框６に取り付けるためのアタッチメント１１と、を有している。
【００２３】
アタッチメント１１は、例えばステンレス製の薄板により形成されており、見込み方向において互いに間隔を空けて対面する一対の壁部を形成する対面板部１１ａと、一対の対面板部１１ａの上端部を見込み方向に繋ぎ平板状をなす連結板部１１ｂとを有している。
【００２４】
アタッチメント１１の長手方向における一方側の端には、連結板部１１ｂが下方に延出された位置決め片としての垂板部１１ｃが設けられており、他方側の端には、一対の対面板部１１ａが各々下方に突出した当接片としての下突起１１ｄがそれぞれ設けられている。また、連結板部１１ｂには、下框６に取り付けられたときに、下框６の排水孔６ｆと重なる位置に水抜き孔１１ｅが設けられている。
【００２５】
アタッチメント１１の見込み方向の幅は、既設戸車９のケース９ａの見込み方向の幅と一致しており、アタッチメント１１の下突起１１ｄを除いた高さは、既設戸車９のケース９ａの高さと一致している。このため、既設戸車９を取り外した下框６の、上板部６ｂと下板部６ｃとの間であって、２つの上突片６ｇと２つの下突片６ｈの間の空間には、アタッチメント１１を下框６の小口側から挿入して嵌合可能である。
【００２６】
アタッチメント１１を下框６の長手方向に沿って挿入すると、下突起１１ｄが下板部６ｃに当接され、長手方向にいてアタッチメント１１が位置決めされる。このとき、下框６に設けられている排水孔６ｆとアタッチメント１１に設けられている水抜き孔１１ｅとが上下に重なるように配置される。排水孔６ｆと水抜き孔１１ｅとが上下に配置されるにより、面材収容部６ｅと中空部６ｄとが連通し、面材収容部６ｅの水が、中空部６ｄを形成する下板部６ｃに設けられている切り欠き部６ｉを通って下枠に排出される排水経路が確保される。
【００２７】
新設戸車１０は、障子３を移動可能に支持するローラー８と、ローラー８を回動自在に支持するフレーム１２と、下框６の長手方向においてローラー８の両側にそれぞれ設けられた２つの上下方向位置調整ビス１５と、を有している。
【００２８】
フレーム１２は、ローラー８が回動自在に支持される内フレーム１３と、内フレーム１３の外側に設けられアタッチメント１１を押圧する押圧部１４ｃが設けられた外フレーム１４と、を有している。
【００２９】
内フレーム１３は、例えば鉄製の薄板により高い剛性を備えて形成されている。外フレーム１４は、例えばステンレス製であり、内フレームよりも薄い薄板により形成されている。内フレーム１３及び外フレーム１４は、いずれも、見込み方向に間隔を空けて対面する一対の対面壁部１３ａ、１４ａと一対の対面壁部１３ａ、１４ａの上端部を連結するフレーム連結部１３ｂ、１４ｂとを有して、断面がコ字状をなしている。外フレーム１４は、内フレーム１３の上に被せるように配置して嵌合されている。
２つの上下方向位置調整ビス１５は、外フレーム１４のフレーム連結部１４ｂを貫通して内フレーム１３のフレーム連結部１３ｂに螺合されている。
【００３０】
外フレーム１４を形成する一対の対面壁部１４ａには、見込み方向において互いに相反する方向に、すなわち対向する側と反対側に、各々曲げ起こされた押圧部１４ｃが設けられている。押圧部１４ｃは、下框６に取り付けられたアタッチメント１１内側に新設戸車１０が挿入されたときに、アタッチメント１１の一対の対面板部１１ａにより、押圧部１４ｃが曲げ戻される方向に押圧される。すなわち、新設戸車１０の押圧部１４ｃがアタッチメント１１の一対の対面板部１１ａを、その間隔が広がるように押圧することによりアタッチメント１１を介して下框６に保持されるように構成されている。
【００３１】
また、新設戸車１０は、図５に示すように、アタッチメント１１の一対の対面板部１１ａ間に、下框６の長手方向に沿って挿入されて垂板部１１ｃにフレーム１２が当接され、長手方向において新設戸車１０が位置決めされ、押圧部１４ｃがアタッチメント１１の対面板部１１ａを押圧し、見込み方向において新設戸車１０が位置決めされる。
【００３２】
建具１に設けられている既設戸車９に、長期間の使用等による劣化や摩耗が生じた際には、戸車を交換する必要がある。このとき、上記の新設戸車１０のように、下框に設けられた側壁間に曲げ起こされた押圧部１４ｃが圧縮されて装着されるように構成されている場合には、所定の間隔を隔てた対面する側壁が必要である。
【００３３】
しかしながら、上述した建具１のように、既設戸車９が嵌合されていた上板部６ｂと下板部６ｃとの間であって、２つの上突片６ｇと２つの下突片６ｈとの内側に嵌合されて保持されている場合には、新設戸車１０は、直接下框６に取り付けることができない。
【００３４】
そこで、本実施形態の戸車ユニット７は、建具１の下框６に嵌合されていた既設戸車９を取り外し、既設戸車９が嵌合されていた上板部６ｂと下板部６ｃとの間であって、２つの上突片６ｇと２つの下突片６ｈとの内側に、アタッチメント１１を嵌合し、下框６に嵌合されたアタッチメント１１の一対の対面板部１１ａ間にて、新設戸車１０の曲げ起こされた押圧部１４ｃを圧縮させて取り付けることを可能としている。このため、戸車ユニット７の装着部は、上記実施形態の下框６の形状に限らず、例えば、図６（ａ）、図６（ｂ）に示すように、既設戸車９が嵌合、係合、係止等されて取り付け、または、規制される突起等の取付部６１ａ、６２ａを有する下框６１、６２であれば新設戸車１０を取り付けることが可能である。
【００３５】
本実施形態の建具１及び戸車ユニット７によれば、既設戸車９が嵌合されていた下框６から既設戸車９を取り外して、アタッチメント１１を嵌合するので、アタッチメント１１は既設戸車９と同様に取り付けられる。また、既設戸車９と同様に取り付けられたアタッチメント１１を介して新設戸車１０が取り付けられるので新設戸車１０も既設戸車９と同様に取り付けることが可能である。このため、既設戸車９が取り付けられている、様々な形状の下框６に新設戸車１０を取り付けることが可能であり、汎用性が高い戸車ユニット７を提供することが可能である。
【００３６】
また、下框６に嵌合されてアタッチメント１１により形成された一対の対面板部１１ａを、押圧部１４ｃにより一対の対面板部１１ａの間隔が広がるように押圧して新設戸車１０をアタッチメント１１に取り付けることが可能である。
【００３７】
また、下框６は、下框６の上側に位置する面材収容部６ｅから下側に位置する下枠に水が流通可能な排水孔６ｆを有し、アタッチメント１１は、下框６に装着されて排水孔６ｆと重なる位置に形成された水抜き孔１１ｅを有しているので、戸車ユニット７が取り付けられていても、面材収容部６ｅから下枠に、排水孔６ｆ及び水抜き孔１１ｅを介して水を排出することが可能である。
【００３８】
また、アタッチメント１１を下框６内に挿入して下突起１１ｄを下框６の小口をなす下板部６ｃに当接させることによりアタッチメント１１を位置決めして取り付けることが可能である。このため、下框６の排水孔６ｆとアタッチメント１１の水抜き孔１１ｅとを容易に上下に配置させることが可能であり、面材収容部６ｅの水を排出する排水経路を容易に確保することが可能である。
【００３９】
また、新設戸車１０をアタッチメント１１内に挿入して垂板部１１ｃに当接させることにより新設戸車１０を位置決めして取り付けることが可能である。このため、既設戸車９による支持位置と、新設戸車１０による支持位置とを一致させることが可能なので、新設戸車に１０に交換した後にもバランス良く障子３を支持することが可能である。
【００４０】
上記実施形態においては、アタッチメント１１を、一対の対面板部１１ａと連結板部１１ｂとが一体に形成されて断面形状がコ字状をなす例について説明したがこれに限るものではない。アタッチメントは、例えば、図７に示すように、対面板部１１ａの一方と連結板部とが一体となった断面形状がＬ字状をなす２つのアタッチメント部材１６ａの連結板部１６ｂをビス止めしたアタッチメント１６であっても構わない。この場合には、一方のアタッチメント部材１６ａの連結板部１６ｂに見込み方向に長い長孔１６ｃを形成しておくことにより、２つのアタッチメント部材１６ａの見込み方向の位置を調節し、下框６に合わせることができる。このため、より汎用性が高い戸車ユニット７を提供することが可能である。
【００４１】
また、２つのアタッチメント部材１６ａは、各々の連結板部１６ｂを予めリベット等で見込み方向にスライド可能に連結しておいてもよい。この場合には、アタッチメント１６とともに新設戸車１０を下框６内に挿入し、２つのアタッチメント部材１６ａの間隔が広がるように押圧部１４ｃにより各アタッチメント部材１６ａを押圧することにより、アタッチメント１６を下框６に応じて自由に押し広げて取り付けることが可能である。
【００４２】
また、本実施形態の戸車ユニット７は、新設戸車１０の押圧部１４ｃが押圧して新設戸車１０を保持できるような部位が下框６に設けられていれば、アタッチメント１１、１６を使用することなく新設戸車１０のみを取り付けて使用することが可能である。また、上記実施形態においては、断面がコ字状をなすアタッチメント１１を例に挙げて説明したが、互いに形状が異なる複数種類のアタッチメントを備えておき、下框の形状に合わせて適宜アタッチメントを選択して使用することも可能である。この場合には、汎用性が更に向上する。
【００４３】
上記実施形態においては、下框６に嵌合されていた既設戸車９を取り外して、アタッチメント１１を下框６に嵌合して取り付ける例について説明したが、既設戸車及びアタッチメントは必ずしも嵌合されていなくとも良い。例えば、既設戸車及びアタッチメントがビス等により取り付けられていても構わない。すなわち、ビス等により取り付けられている既設戸車を取り外し、取り外した部位にビス等により取り付けられたアタッチメントに新設戸車を取り付けても構わない。
【００４４】
また、上記実施形態においては、新設戸車１０が備える押圧部１４ｃがアタッチメント１１の一対の対面板部１１ａを各々押圧する例について説明したが、これに限るものではない。例えば、押圧部が新設戸車の一方側に設けられており、押圧部が一対の対面板部のうちの一方を押圧することにより新設戸車が他方の対面板部に押圧されて、新設戸車がアタッチメントに取り付けられる形態であっても構わない。
【００４５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４６】
１  建具、６  下框、６ａ  框壁部、６ｆ  排水孔、７  戸車ユニット、
９  既設戸車、１０  新設戸車、１１  アタッチメント、１１ａ  対面板部、
１１ｃ  垂板部、１１ｄ  下突起、１１ｅ  水抜き孔、１４ｃ  押圧部、
１６  アタッチメント、１６ａ  アタッチメント部材、６１  下框、６２  下框、
【図１】
2018048464.tif 000003
【図２】
2018048464.tif 000004
【図３】
2018048464.tif 000005
【図４】
2018048464.tif 000006
【図５】
2018048464.tif 000007
【図６】
2018048464.tif 000008
【図７】
2018048464.tif 000009